(57)【特許請求の範囲】
【請求項１】
把手部に、被切断物に対して板面が垂直に配される刃板部を突設し、この刃板部の一側縁に切断刃縁を設けた手持ちナイフにおいて、前記把手部に回動体を設け、この回動体は、先端側を折り返し側とするコ字状若しくはＵ字状の線材で構成して、左右の線材部分が刃板部の左右両側の外方に位置するように構成すると共に、この左右の線材部分の基端部を前記把手部の両側に枢着することにより刃板部の板面に沿う方向に回動自在に設け、この回動体の折り返し先端部を前記刃板部の他側縁に掛止可能な掛止部とすると共に、この掛止部を、前記回動体を回動付勢する回動付勢手段により刃板部の他側縁に掛止付勢し、この掛止部が刃板部の他側縁に掛止した際に左右の線材部分の途中部が前記刃板部の一側縁に設けた前記切断刃縁より外方に位置する形状に前記回動体を構成し、この切断刃縁より外方に位置する回動体の左右の線材部分の途中部を、切断刃縁に被切断物以外の物が接触することを防止する保護部とし、この保護部を被切断物に押し当てて、この保護部と共に回動体を前記回動付勢手段の付勢力に抗し前記刃板部の他側縁側に回動退避させることにより、切断刃縁が被切断物に接触する構成とし、前記回動付勢手段は、前記回動体の左右の線材部分の基端部の、前記把手部の両側への枢着支点をずらすことにより、この回動体に前記掛止部を前記刃板部の他側縁に掛止付勢する回動付勢力を生じる構成としたことを特徴とする手持ちナイフ。
【請求項２】
前記回動体は、左右の線材部分の途中部を前記刃板部の他側縁側に向けて折曲することにより前記掛止部としての折り返し先端部を刃板部の他側縁に掛止可能な形状に形成すると共に、この掛止部を刃板部の他側縁に掛止した際に、左右の線材部分の途中部の折曲部が刃板部の一側縁に設けた前記切断刃縁より外方に位置する形状に形成し、この切断刃縁より外方に位置する左右の線材部分の折曲部を前記保護部としたことを特徴とする請求項１記載の手持ちナイフ。
【請求項３】
前記回動体は、前記回動付勢手段の付勢力に抗して前記刃板部の他側縁側に回動退避させて前記把手部側に存する把手側退避位置まで回動退避可能な構成とすると共に、この回動体を把手側退避位置に付勢保持する付勢保持手段を備えるか若しくはこの回動体を把手側退避位置に付勢保持する前記回動付勢手段を備えたことを特徴とする請求項１，２のいずれか１項に記載の手持ちナイフ。
【発明の詳細な説明】
【技術分野】
【０００１】
本発明は、例えば、柑橘類の皮のカットや、パック詰め食品の包装のカットや、梱包箱の紐やテープのカット等の用途に適した手持ちナイフに関するものである。
【背景技術】
【０００２】
出願人は、従来から柑橘類の皮の切断などに適した手持ちナイフを実施している（非特許文献１参照。）。
【０００３】
この手持ちナイフを簡単に説明すると、細長い把手部の端部に刃板部を突設し、この刃板部の先端側の一側縁に外側方に向けて小さく突出する突出板部を設けると共に、この突出板部の把手部側縁部に、突出板部の突出長相当の短い切断刃縁を設けたもので、この手持ちナイフの前記把手部を持ち、前記切断刃縁を柑橘類の表皮に押し当てて引き切りすると、柑橘類の皮はカットされるが、切断刃縁の刃長の短さから中身は傷つきにくいという特徴を有するものであった。
【先行技術文献】
【非特許文献】
【０００４】
【非特許文献１】プリンス工業株式会社ホームページ、デジタルカタログ第１６頁所載の「オレンジカッター」（URL：http://www.ginzado.ne.jp/〜avec/prince/page/page-prince.html）
【発明の概要】
【発明が解決しようとする課題】
【０００５】
上記手持ちナイフは、切断刃縁の刃長の短さ故に、柑橘類の皮のカットだけにとどまらず、豆腐などのパック詰め食品の包装の開封や、梱包箱の紐やテープのカット用としても非常に使い勝手が良く、特に梱包箱の紐やテープのカットの際に梱包箱内の品物を傷つけにくいことから、運送業者間でも好評を博している。
【０００６】
その一方で運送業者からは、荷物の梱包を素早く解けるようにこの手持ちナイフをポケット等に入れて携帯していたいが、この手持ちナイフは切断刃縁が常に露出しているためにそのままポケット等に入れておくことは危険であり、これを改善して欲しいという声もあった。
【０００７】
本発明は、このような要望に応えるための改良出願に係るもので、切断時以外は切断刃縁に触れることなく安全に使用でき、ポケット等に入れて携帯することも可能となる実用性に優れた簡易構造の手持ちナイフを提供するものである。
【課題を解決するための手段】
【０００８】
添付図面を参照して本発明の要旨を説明する。
【０００９】
把手部１に、被切断物４に対して板面が垂直に配される刃板部２を突設し、この刃板部２の一側縁に切断刃縁３を設けた手持ちナイフＡにおいて、前記把手部１に回動体５を設け、この回動体５は、先端側を折り返し側とするコ字状若しくはＵ字状の線材で構成して、左右の線材部分７が刃板部２の左右両側の外方に位置するように構成すると共に、この左右の線材部分７の基端部を前記把手部１の両側に枢着することにより刃板部２の板面に沿う方向に回動自在に設け、この回動体５の折り返し先端部６を前記刃板部２の他側縁に掛止可能な掛止部６とすると共に、この掛止部６を、前記回動体５を回動付勢する回動付勢手段９により刃板部２の他側縁に掛止付勢し、この掛止部６が刃板部２の他側縁に掛止した際に左右の線材部分７の途中部が前記刃板部２の一側縁に設けた前記切断刃縁３より外方に位置する形状に前記回動体５を構成し、この切断刃縁３より外方に位置する回動体５の左右の線材部分７の途中部を、切断刃縁３に被切断物４以外の物が接触することを防止する保護部８とし、この保護部８を被切断物４に押し当てて、この保護部８と共に回動体５を前記回動付勢手段９の付勢力に抗し前記刃板部２の他側縁側に回動退避させることにより、切断刃縁３が被切断物４に接触する構成とし、前記回動付勢手段９は、前記回動体５の左右の線材部分７の基端部の、前記把手部１の両側への枢着支点をずらすことにより、この回動体５に前記掛止部６を前記刃板部２の他側縁に掛止付勢する回動付勢力を生じる構成としたことを特徴とする手持ちナイフに係るものである。
【００１０】
また、前記回動体５は、左右の線材部分７の途中部を前記刃板部２の他側縁側に向けて折曲することにより前記掛止部６としての折り返し先端部６を刃板部２の他側縁に掛止可能な形状に形成すると共に、この掛止部６を刃板部２の他側縁に掛止した際に、左右の線材部分７の途中部の折曲部が刃板部２の一側縁に設けた前記切断刃縁３より外方に位置する形状に形成し、この切断刃縁３より外方に位置する左右の線材部分７の折曲部を前記保護部８としたことを特徴とする請求項１記載の手持ちナイフに係るものである。
【００１１】
また、前記回動体５は、前記回動付勢手段９の付勢力に抗して前記刃板部２の他側縁側に回動退避させて前記把手部１側に存する把手側退避位置Ｔまで回動退避可能な構成とすると共に、この回動体５を把手側退避位置Ｔに付勢保持する付勢保持手段を備えるか若しくはこの回動体５を把手側退避位置Ｔに付勢保持する前記回動付勢手段９を備えたことを特徴とする請求項１，２のいずれか１項に記載の手持ちナイフに係るものである。
【発明の効果】
【００１２】
本発明は上述のように構成したから、常に保護部が切断刃縁より外方に位置しているので、例えば切断刃縁に手指が触れて怪我してしまうことを防止できて安全に使用でき、ポケットなどに入れて携帯しても危険性は少なく、また、被切断物を切断するときは、保護部を被切断物に押し当ててこの保護部を回動体と共に回動退避させて容易に切断できる上、回動体に働く回動付勢手段の付勢力が、被切断物に切断刃縁が深く切り込もうとする力に抵抗するために被切断物の中身を傷つけにくい切断が可能となり、しかも、コ字状若しくはＵ字状の線材で構成する本発明の回動体は、簡易に設計実現可能であると共に、この回動体は、回動付勢手段に回動付勢されるものの、掛止部が刃板部の他側縁に掛止することによって位置決められるので、保護部が必要以上に切断刃縁から離れた外方に突出して嵩張るようなことなく、回動体（保護部）付でありながらコンパクトで携帯性に優れた構成を容易に設計実現可能であるなど、極めて実用性に優れ、量産性に優れた手持ちナイフとなる。
【００１３】
また、本発明においては、前記回動付勢手段は、前記回動体の左右の線材部分の基端部の、把手部の両側への枢着支点をずらすことにより、この回動体に前記掛止部を前記刃板部の他側縁に掛止付勢する回動付勢力を生じる構成としたから、前記作用・効果を確実に発揮する回動付勢手段を簡易構成により容易に設計実現可能となる一層実用性に優れた構成の手持ちナイフとなる。
【００１４】
また、請求項２記載の発明においては、掛止部が刃板部の他側縁に掛止した状態で回動体の保護部が確実に切断刃縁の外方に位置する回動体の構成を簡易に設計実現可能となる一層実用性に優れた構成の手持ちナイフとなる。
【００１５】
また、請求項３記載の発明においては、回動体を把手側退避位置に回動退避させて回動付勢手段による抵抗を受けずに切断刃縁で切断を行うこともできると共に、この回動体を把手側退避位置に退避させた使用態様を確実に保持できるなど、極めて実用性に優れた構成の手持ちナイフとなる。
【図面の簡単な説明】
【００１６】
【図１】本実施例を示す斜視図である。
【図２】本実施例を示す側面図である。
【図３】本実施例を示す平面図である。
【図４】本実施例の使用状態における回動体（保護部）の作動説明図である。
【図５】本実施例の回動体を把手側退避位置に退避させた状態を示す側面図である。
【発明を実施するための形態】
【００１７】
好適と考える本発明の実施形態を、図面に基づいて本発明の作用を示して簡単に説明する。
【００１８】
本発明の手持ちナイフＡは、回動付勢手段９により回動体５の掛止部６が刃板部２の他側縁に掛止付勢されるが、この際、回動体５の左右の線材部分７の途中部が刃板部２の一側縁に設けた切断刃縁３より外方に位置し、この切断刃縁３より外方に位置する回動体５の左右の線材部分７の途中部が、切断刃縁３に被切断物４以外の物が接触することを防止する保護部８として機能することになる。
【００１９】
即ち、回動体５の保護部８が、切断刃縁３より外方に位置するように前記回動付勢手段９によって付勢保持されるために、切断刃縁３に被切断物４以外の物が接触しようとしても、その前に必ず保護部８に接触して切断刃縁３に接触することが防止される。
【００２０】
従って、例えば切断刃縁３に手指が触れて怪我してしまうことを防止できて安全に使用できると共に、ポケットなどに入れて携帯しても怪我等の危険性は極めて少ない。
【００２１】
本発明の手持ちナイフＡで被切断物４を切断するときは、保護部８を被切断物４に押し当てて、この保護部８と共に回動体５を前記回動付勢手段９の付勢力に抗して前記刃板部２の他側縁側に回動退避させると、切断刃縁３が被切断物４に接触してこの切断刃縁３で被切断物４を切断することができる。
【００２２】
また、この切断時にも、回動体５には前記回動付勢手段９の回動付勢力（保護部８が切断刃縁３の外方に突出して被切断物４から切断刃縁３を離反させようとする反発力）が働いているので、切断刃縁３を被切断物４に対して深く食い込ませすぎてしまうような不都合を生じにくく、被切断物４の中身を傷つけにくい（中身のある被切断物４の切断に有効である。）。
【００２３】
切断完了後は、前記回動付勢手段９の回動付勢力により、回動体５の保護部８が切断刃縁３より外方に突出する位置に戻る。
【００２４】
また、コ字状若しくはＵ字状の線材で構成する本発明の回動体５は、簡易に設計実現可能な構成であり、更に本発明の回動体５は、前記回動付勢手段９に回動付勢されるが、掛止部６が刃板部２の他側縁に掛止することによって位置決められるので、保護部８が必要以上に切断刃縁３から離れた外方に位置して嵩張るようなことなく、回動体５（保護部８）付でありながらポケット等にも入れ易いコンパクトで携帯性に優れた構成を容易に設計実現可能である。
【００２５】
また、例えば、前記回動体５は、前記回動付勢手段９の付勢力に抗して前記刃板部２の他側縁側に回動退避させて前記把手部１側に存する把手側退避位置Ｔまで回動退避可能な構成とすると共に、この回動体５を把手側退避位置Ｔに付勢保持する付勢保持手段を備えるか若しくはこの回動体５を把手側退避位置Ｔに付勢保持する前記回動付勢手段９を備えれば、回動体５を把手側退避位置Ｔに退避させると、前記回動付勢手段９による抵抗を受けずに被切断物４の切断を行うことが可能となり、しかも、把手側退避位置Ｔに退避した回動体５はこの位置に付勢保持されるため、勝手に元の位置に戻って回動体５が切断の邪魔になるようなことはない。
【実施例】
【００２６】
本発明の具体的な実施例について図面に基づいて説明する。
【００２７】
本実施例の手持ちナイフＡは、図１，図２に示すように、細長い把手部１の端部に刃板部２を突設し、この刃板部２の先端側の一側縁に、手持ちナイフＡの長さ方向に対する外側方に向けて小さく突出する突出板部10を設けると共に、この突出板部10の把手部１側に存する縁部に切断刃縁３を設けている。
【００２８】
更に詳しくは、把手部１は帯板状に形成し、この把手部１の両側板面と、刃板部２の両側板面とが平行関係となるようにして、把手部１の端部に刃板部２を突設している。
【００２９】
また、刃板部２は、鳥の形を模ったデザインの金属板で構成し、この刃板部２の一側縁に存する嘴部分の突出部を前記突出板部10とし、この突出板部10の把手部１側に存する直線状の縁部の全縁部に前記切断刃縁３を設けた構成としている。
【００３０】
本実施例は、前記把手部１に回動体５を設け、この回動体５に前記切断刃縁３に被切断物４以外の物が接触することを防止する保護部８を設けている。
【００３１】
この回動体５を説明すると、先端側を折り返し側とする略Ｕ字状（コ字状でも良い）の弾性線材（金属線材）で構成している。
【００３２】
また、この回動体５の把手部１への取付構造は、回動体５の左右の線材部分７の基端部を前記把手部１の対向両側板面に枢着することで、この回動体５の左右の線材部分７が刃板部２の左右両側の外方に位置すると共に、刃板部２の板面に沿う方向に回動自在となるようにして取付した構造としている。
【００３３】
また、この回動体５は、図１，図２に示すように、左右の線材部分７の折り返し先端部６寄りの途中部を前記刃板部２の他側縁側に向けて折曲することにより側面視でＪ字状に形成して、この折り返し先端部６を刃板部２の他側縁側に配設すると共に、この折り返し先端部６を刃板部２の他側縁（図面では鳥の後頭部に相当する位置）に掛止可能な掛止部６としている。
【００３４】
また、この回動体５は、前記掛止部６を刃板部２の他側縁に掛止した際に、回動体５の左右の線材部分７の途中部の折曲部が刃板部２の一側縁に設けた前記切断刃縁３より外方に位置する形状に折曲形成し、この切断刃縁３より外方に突出する左右の線材部分７の折曲部を、切断刃縁３に被切断物４以外の物が接触することを防止する前記保護部８としている。
【００３５】
また、本実施例は、回動体５を回動付勢する回動付勢手段９を備え、この回動付勢手段９により前記掛止部６を刃板部２の他側縁に掛止付勢する構成としている。即ち、回動付勢手段９により保護部８が常に切断刃縁３の外方に位置して安全に使用できる構成としている。
【００３６】
この回動付勢手段９について説明すると、回動体５の左右の線材部分７の基端部の、前記把手部１の両側への枢着支点をずらすことにより、この回動体５に前記掛止部６を前記刃板部２の他側縁に掛止付勢する回動付勢力を生じる構成としている。
【００３７】
更に具体的には、図３に示すように、回動体５は、左右の線材部分７の長さが異なる形状に形成すると共に、この左右の線材部分７の基端部を互いの対向内側に向けて略直角に折曲して、この両直角折曲部を一側軸部11・他側軸部12としている。
【００３８】
一方、前記把手部１に、この把手部１の対向する両側板面を貫通するようにして、前記一側軸部11を差し込みする第一差込孔13と前記他側軸部12を差し込みする第二差込孔14とを把手部１の長さ方向に並設状態に設けると共に、第一差込孔13は把手部１の上側寄りの高い位置に、第二差込孔14は把手部１の下側寄りの低い位置（第一差込孔13より低い位置）に設けている（図２参照。）。
【００３９】
そして、一側軸部11を第一差込孔13に、他側軸部12を第二差込孔14に夫々差込枢着することで、把手部１に回動体５を回動自在に取付した構成とし、この一側軸部11・他側軸部12と、第一差込孔13・第二差込孔14との位置ずれ（枢着支点の位置ずれ）により、回動体５がその掛止部６が刃板部２の他側縁に掛止められる方向に回動付勢力を生じる構成としている。
【００４０】
従って、掛止部６が常に刃板部２の他側縁に掛止められる位置に回動体５が回動付勢され、これにより保護部８が切断刃縁３の外側に突出して切断刃縁３に被切断物４以外の手指などが接触して怪我したりすることを防止でき、被切断物４を切断するときは、この保護部８を被切断物４に押し当てて、この保護部８と共に回動体５を前記回動付勢手段９の付勢力に抗し前記刃板部２の他側縁側に回動退避させることにより、切断刃縁３が被切断物４に接触することとなってこの切断刃縁３で被切断物４を切断できる構成としている（図４参照。）。
【００４１】
また、この際、回動体５には前記回動付勢手段９の回動付勢力（保護部８が切断刃縁３の外方に突出して被切断物４から切断刃縁３を離反させようとする反発力）が働いているので、切断刃縁３を被切断物４に対して深く食い込ませすぎてしまうような不都合を生じにくく、特に中身のある被切断物４に対しては被切断物４の中身を傷つけにくい切断も可能となる構成としている。
【００４２】
回動付勢手段９は、回動体５自身の弾性を利用した本実施例以外にも、他の弾性体を用いることにより回動体５に回動付勢力を付与するような構成を採用しても良い。
【００４３】
また、本実施例では、前記回動体５は、前記回動付勢手段９の付勢力に抗して前記刃板部２の他側縁側に回動退避させて前記把手部１側に存する把手側退避位置Ｔまで回動退避可能な構成とすると共に、この把手側退避位置Ｔに位置させた回動体５が前記回動付勢手段９によって付勢保持される構成としている。
【００４４】
具体的には、図５に示すように、前記第一差込孔13，第二差込孔14の形成位置設定により、回動体５が把手部１に対して略直角となる位置より掛止部６が把手部１の先端側に存する回動位置まで回動退避させると、回動体５には付勢力が生じなくなる構成とし、この把手部１側の付勢力を生じない回動体５の回動位置を前記把手側退避位置Ｔとしている。
【００４５】
そして、この把手側退避位置Ｔに存する回動体５は、その両端部の前記把手部１への枢着支点をずらしていることにより、回動体５を前記把手側退避位置Ｔから元の位置（掛止部６が刃板部２の他側縁に掛止られる位置）に戻そうとした際にはこの戻し回動に抗する付勢力が生じ、これによりこの付勢力以上の力を加えない限りは、把手側退避位置Ｔの回動体５が勝手に回動して元の位置に戻ることのない構成としている。
【００４６】
従って、回動体５を把手側退避位置Ｔに位置させることにより、保護部８が切断刃縁３の外方に突出して被切断物４から切断刃縁３を離反させようとする反発力を受けずに切断を行うことも可能となる構成としている。この際には、把手側退避位置Ｔに位置する回動体５を把手部１と共に把手して切断操作しても良い。
【００４７】
本実施例では、前記回動付勢手段９が把手側退避位置Ｔに位置させた回動体５の位置決め付勢機能も兼用する構成とした場合を示したが、この回動体５を把手側退避位置Ｔに付勢保持する付勢保持手段を別途設ける構成を採用しても良い。
【００４８】
尚、本発明は、実施例に限られるものではなく、各構成要件の具体的構成は適宜設計し得るものである。
【符号の説明】
【００４９】
１  把手部
２  刃板部
３  切断刃縁
４  被切断物
５  回動体
６  折り返し先端部・掛止部
７  線材部分
８  保護部
９  回動付勢手段
Ａ  手持ちナイフ
Ｔ  把手側退避位置
【図１】
0005629305.tif 000002
【図２】
0005629305.tif 000003
【図３】
0005629305.tif 000004
【図４】
0005629305.tif 000005
【図５】
0005629305.tif 000006